(57)【要約】      （修正有）【課題】チューナの取り付け状態によらず、音名表示及びメータ表示を見やすくする。【解決手段】クリップ２０と、そのクリップ２０に取り付けられたチューナ３０とよりなり、チューナ３０は入力された音に対し、基準となる音名と、その音名から決定される基準周波数との誤差をメータ表示するディスプレイを備えるクリップ付きチューナにおいて、操作スイッチ３１と、その操作スイッチ３１の操作に基づき、ディスプレイにおける音名表示及び誤差のメータ表示の向きを切り替える表示切り替え回路を具備する。【選択図】図１
2012141358.tif 000002
【特許請求の範囲】
【請求項１】
クリップと、そのクリップに取り付けられたチューナとよりなり、前記チューナは入力された音に対し、基準となる音名と、その音名から決定される基準周波数との誤差をメータ表示するディスプレイを備えるクリップ付きチューナにおいて、
操作スイッチと、
その操作スイッチの操作に基づき、前記ディスプレイにおける前記音名表示及び前記誤差のメータ表示の向きを切り替える表示切り替え回路を具備することを特徴とするクリップ付きチューナ。
【請求項２】
クリップと、そのクリップに取り付けられたチューナとよりなり、前記チューナは入力された音に対し、基準となる音名と、その音名から決定される基準周波数との誤差をメータ表示するディスプレイを備えるクリップ付きチューナにおいて、
加速度センサと、
その加速度センサによって検出される重力加速度から求められる前記チューナの傾きに基づき、前記ディスプレイにおける前記音名表示及び前記誤差のメータ表示の向きを切り替える表示切り替え回路を具備することを特徴とするクリップ付きチューナ。
【請求項３】
請求項１又は２記載のクリップ付きチューナにおいて、
前記誤差のメータ表示は高低が反転するように切り替えられることを特徴とするクリップ付きチューナ。
【請求項４】
請求項３記載のクリップ付きチューナにおいて、
前記音名表示は反転するように切り替えられることを特徴とするクリップ付きチューナ。
【請求項５】
請求項３記載のクリップ付きチューナにおいて、
前記音名表示は向きが９０°ずつ回転するように切り替えられることを特徴とするクリップ付きチューナ。
【発明の詳細な説明】
【技術分野】
【０００１】
この発明はクリップと、そのクリップに取り付けられたチューナとよりなるクリップ付きチューナに関する。
【背景技術】
【０００２】
特許文献１には例えば楽器本体等へのチューナ（調律器）の取り付けを容易に行えるようにすべく、チューナにクリップを付けたクリップ付きチューナが記載されている。
【０００３】
図７はこの特許文献１に記載されているクリップ付きチューナの外観を示したものであり、図中、１１はクリップを示し、１２はチューナを示す。チューナ１２はヒンジ部１３を介してクリップ１１に取り付けられており、これによりクリップ１１に対して矢印ａで示した前後方向に傾倒可能とされ、また矢印ｂで示した方向に回転可能とされている。
【０００４】
チューナ１２はその前面にディスプレイ１２ａを備えており、ディスプレイ１２ａの脇にはマイクロホン１２ｂが設けられている。また、この例ではマイクロホン１２ｂに加え、楽器本体の振動を直接検知する振動センサとしてピエゾデバイス１４がクリップ１１に取り付けられた構成となっている。
【先行技術文献】
【特許文献】
【０００５】
【特許文献１】米国特許第７，０４９，５０２号明細書
【発明の概要】
【発明が解決しようとする課題】
【０００６】
上述したクリップ付きチューナによれば、クリップ１１で楽器本体等を挟み込むことにより簡単にチューナ１２を楽器本体等に取り付けることができ、またクリップ１１に対してチューナ１２が傾倒・回転可能とされているため、ディスプレイ１２ａの表示が見やすくなるようにディスプレイ１２ａの向き（チューナ１２の向き）を変えることができるものとなっている。
【０００７】
そして、特許文献１にはチューナ１２のメータ表示において、入力された周波数が、基準周波数よりも高い場合に表示させる方向と、基準周波数よりも低い場合に表示させる方向を反転させることにより、チューナ１２の取り付け状態によってメータ表示を切り替えることが記載されている。
【０００８】
しかしながら、特許文献１ではメータ表示の向きを、つまりメータの振れ方向を変えることしか記載されておらず、よってディスプレイ１２ａにおける基準周波数の音名表示が例えばチューナ１２の取り付け状態によっては反転してしまって見づらくなり、音名が読み取りにくいといった問題があった。
【０００９】
この発明の目的はこの問題に鑑み、メータ表示及び音名表示の双方を見やすくしたクリップ付きチューナを提供することにある。
【課題を解決するための手段】
【００１０】
請求項１の発明によれば、クリップと、そのクリップに取り付けられたチューナとよりなり、チューナは入力された音に対し、基準となる音名と、その音名から決定される基準周波数との誤差をメータ表示するディスプレイを備えるクリップ付きチューナにおいて、操作スイッチと、その操作スイッチの操作に基づき、ディスプレイにおける音名表示及び誤差のメータ表示の向きを切り替える表示切り替え回路を具備するものとされる。
【００１１】
請求項２の発明によれば、クリップと、そのクリップに取り付けられたチューナとよりなり、チューナは入力された音に対し、基準となる音名と、その音名から決定される基準周波数との誤差をメータ表示するディスプレイを備えるクリップ付きチューナにおいて、加速度センサと、その加速度センサによって検出される重力加速度から求められる前記チューナの傾きに基づき、ディスプレイにおける音名表示及び誤差のメータ表示の向きを切り替える表示切り替え回路を具備するものとされる。
【００１２】
請求項３の発明では請求項１又は２の発明において、誤差のメータ表示は高低が反転するように切り替えられる。
【００１３】
請求項４の発明では請求項３の発明において、音名表示は反転するように切り替えられる。
【００１４】
請求項５の発明では請求項３の発明において、音名表示は向きが９０°ずつ回転するように切り替えられる。
【発明の効果】
【００１５】
この発明によれば、チューナの取り付け状態によらず、ディスプレイにおけるメータ表示及び音名表示の双方を見やすくすることができる。
【００１６】
また、ディスプレイにおける音名表示及びメータ表示の向きを切り替えることができるため、例えば図７に示した従来のクリップ付きチューナの構成のように、チューナが複数の軸回りに動く構成と異なり、チューナを大きく動かしてディスプレイを見やすい向きに設定することができない構成であっても、見やすい表示を提供することができる。その点で、この発明によれば、クリップに対するチューナの可動機構の簡素化を図ることができ、よって部品点数の削減を図ることができ、クリップ付きチューナの小型化、低価格化を図ることが可能となる。
【図面の簡単な説明】
【００１７】
【図１】この発明によるクリップ付きチューナの一実施例の外観を示す正面図。
【図２】図１の側面図。
【図３】チューナの機能構成の一例を示すブロック図。
【図４】チューナのディスプレイの表示及びその切り替えの第１の例を説明するための図。
【図５】チューナのディスプレイの表示及びその切り替えの第２の例を説明するための図。
【図６】チューナの機能構成の他の例を示すブロック図。
【図７】クリップ付きチューナの従来例を示す図、Ａは正面図、Ｂは側面図。
【発明を実施するための形態】
【００１８】
この発明の実施形態を図面を参照して実施例により説明する。
【００１９】
図１はこの発明によるクリップ付きチューナの一実施例の外観を示したものであり、図中、２０はクリップを示し、３０はチューナを示す。
【００２０】
クリップ２０は一対のクリップ片２１，２２を備え、この例では一方のクリップ片２２にバッテリケース２３が一体形成されたものとなっている。バッテリケース２３内には図では隠れて見えないがバッテリ（電池）が収納されており、このバッテリによりチューナ３０に電源が供給される。
【００２１】
チューナ３０はヒンジ４０を介してクリップ２０に取り付けられており、ヒンジ４０により矢印ｃ方向に回動可能とされている。チューナ３０の背面には図２に示したように表示の向きを切り替えるための操作スイッチ３１が設けられている。
【００２２】
図３はチューナ３０の機能構成の概要を示したものであり、この例ではチューナ３０はマイクロホン３２と楽器からの振動を検知する振動センサとしてピエゾデバイス３３を内蔵している。マイクロホン３２で収音された音及びピエゾデバイス３３で検知された振動はチューナ回路３４に入力される。
【００２３】
チューナ回路３４はこの例ではマイクロホン３２から入力される収音信号及びピエゾデバイス３３から入力される信号のレベルに応じていずれか一方を選択し、選択した入力信号の周波数に対し、基準となる音名を決定し、その音名の基準周波数と入力信号の周波数の誤差を検出する。基準となる音名及び誤差は表示切り替え回路３５に入力される。
【００２４】
表示切り替え回路３５は操作スイッチ３１の操作に基づき、ディスプレイ３６における音名表示及び誤差のメータ表示の向きを切り替え、ディスプレイ３６に表示させる。
【００２５】
図４（１）はチューナ３０のディスプレイ３６の表示内容（全表示）の一例を示したものであり、３６ａは音名表示を示し、３６ｂは誤差のメータ表示を示す。メータ表示３６ｂはメータとしての７つの点と、音が高い方を表す“Ｈｉｇｈ”の文字とで構成されており、“Ｈｉｇｈ”の文字はメータの両端に上下反転してそれぞれ設けられている。ディスプレイ３６はこの例ではＬＥＤ（発光ダイオード）を用いて構成されている。
【００２６】
図４（２ａ）はディスプレイ３６の実際の表示例を示したものであり、音名は“Ａ”を表示している。図４（２ｂ）は操作スイッチ３１が操作され、表示切り替え回路３５により表示の向きが切り替えられた状態を示したものであり、この例では音名表示３６ａ及びメータ表示３６ｂの高低が共に反転するように切り替えられるものとなっている。操作スイッチ３１の操作により、この例では図４（２ａ）に示した表示の向きと図４（２ｂ）に示した表示の向きが交互に選択される。
【００２７】
一方、図５（１）はチューナ３０のディスプレイ３６の表示内容（全表示）の他の例を示したものであり、この例では音名表示３６ａは図４（１）の７セグメントと“＃”ではなく、１２セグメントと“＃”で構成されている。また、メータ表示３６ｂは図４（１）の表示に加え、さらに“Ｈｉｇｈ”の文字が２つ、メータの両端においてそれぞれディスプレイ３６の短辺（７つの点の配列方向と直交する辺）に沿う方向に設けられている。
【００２８】
図５（２ａ）は図５（１）に示した表示内容を有するディスプレイ３６の実際の表示例を示したものであり、音名は“Ａ”を表示している。操作スイッチ３１を操作することにより、この例では表示切り替え回路３５はディスプレイ３６の表示を、図５（２ａ）→図５（２ｂ）→図５（２ｃ）→図５（２ｄ）→図５（２ａ）と切り替えるものとなっており、１２セグメントによる音名表示３６ａは向きが９０°ずつ回転するように切り替えられるものとなっている。また、この音名表示３６ａの向きの切り替えに連動し、メータ表示３６ｂの“Ｈｉｇｈ”の文字の向きも音名表示３６ａの向きに一致するように切り替えられ、“Ｈｉｇｈ”の表示位置に対応してメータの高低が決定されるものとなっている。
【００２９】
この図５に示した音名表示３６ａ及びメータ表示３６ｂの向きの切り替え方式によれば、図４に示した切り替え方式に比べ、音名表示３６ａ及びメータ表示３６ｂをさらに見やすくすることができる。なお、ディスプレイ３６はＬＥＤディスプレイに限らず、液晶ディスプレイとしてもよい。
【００３０】
上述した例では表示切り替えは操作スイッチ３１の操作に基づき行われるものとなっており、つまり手動切り替えとなっているが、表示切り替えを自動的に行うようにすることもできる。
【００３１】
図６はこの場合のチューナ３０の機能構成の概要を示したものであり、この例ではチューナ３０は操作スイッチ３１を具備せず、加速度センサ３７を内蔵するものとなっている。
【００３２】
加速度センサ３７の検出出力は傾き演算回路３８に入力され、傾き演算回路３８は加速度センサ３７が検出した重力加速度の大きさからチューナ３０の傾きを求めて表示切り替え回路３５に出力する。
【００３３】
表示切り替え回路３５は入力されたチューナ３０の傾きに基づき、ディスプレイ３６における音名表示及びメータ表示の向きを切り替える。表示切り替えは例えば前述の図５に示したように行われ、音名表示３６ａ及びメータ表示３６ｂの向き（表示文字の上下方向）がなるべく鉛直上下方向になるように切り替える。
【００３４】
このように加速度センサ３７を内蔵する構成とすれば、表示切り替えのための手動操作が不要となり、さらに使い勝手のよいクリップ付きチューナを提供することができる。
【符号の説明】
【００３５】
２０  クリップ                        ３０  チューナ
３１  操作スイッチ                    ３５  表示切り替え回路
３６  ディスプレイ                    ３６ａ  音名表示
３６ｂ  メータ表示                    ３７  加速度センサ
４０  ヒンジ
【図１】
2012141358.tif 000003
【図２】
2012141358.tif 000004
【図３】
2012141358.tif 000005
【図４】
2012141358.tif 000006
【図５】
2012141358.tif 000007
【図６】
2012141358.tif 000008
【図７】
2012141358.tif 000009
【手続補正書】
【提出日】平成24年3月27日(2012.3.27)
【手続補正１】
【補正対象書類名】明細書
【補正対象項目名】００１０
【補正方法】変更
【補正の内容】
【００１０】
請求項１の発明によれば、クリップと、そのクリップに取り付けられたチューナとよりなり、チューナは入力された音に対し、基準となる音名を表示し、その音名から決定される基準周波数との誤差をメータ表示するディスプレイを備えるクリップ付きチューナにおいて、操作スイッチと、その操作スイッチの操作に基づき、ディスプレイにおける音名表示及び誤差のメータ表示の向きを切り替える表示切り替え回路を具備し、誤差のメータ表示はディスプレイの一方から他方に向かって連なって配置された複数の表示点を備えているものとされる。
【手続補正２】
【補正対象書類名】明細書
【補正対象項目名】００１１
【補正方法】変更
【補正の内容】
【００１１】
請求項２の発明によれば、クリップと、そのクリップに取り付けられたチューナとよりなり、チューナは入力された音に対し、基準となる音名を表示し、その音名から決定される基準周波数との誤差をメータ表示するディスプレイを備えるクリップ付きチューナにおいて、加速度センサと、その加速度センサによって検出される重力加速度から求められる前記チューナの傾きに基づき、ディスプレイにおける音名表示及び誤差のメータ表示の向きを切り替える表示切り替え回路を具備し、誤差のメータ表示はディスプレイの一方から他方に向かって連なって配置された複数の表示点を備えているものとされる。
【手続補正３】
【補正対象書類名】特許請求の範囲
【補正対象項目名】全文
【補正方法】変更
【補正の内容】
【特許請求の範囲】
【請求項１】
クリップと、そのクリップに取り付けられたチューナとよりなり、前記チューナは入力された音に対し、基準となる音名を表示し、その音名から決定される基準周波数との誤差をメータ表示するディスプレイを備えるクリップ付きチューナにおいて、
操作スイッチと、
その操作スイッチの操作に基づき、前記ディスプレイにおける前記音名表示及び前記誤差のメータ表示の向きを切り替える表示切り替え回路を具備し、
前記誤差のメータ表示は、前記ディスプレイの一方から他方に向かって連なって配置された複数の表示点を備えていることを特徴とするクリップ付きチューナ。
【請求項２】
クリップと、そのクリップに取り付けられたチューナとよりなり、前記チューナは入力された音に対し、基準となる音名を表示し、その音名から決定される基準周波数との誤差をメータ表示するディスプレイを備えるクリップ付きチューナにおいて、
加速度センサと、
その加速度センサによって検出される重力加速度から求められる前記チューナの傾きに基づき、前記ディスプレイにおける前記音名表示及び前記誤差のメータ表示の向きを切り替える表示切り替え回路を具備し、
前記誤差のメータ表示は、前記ディスプレイの一方から他方に向かって連なって配置された複数の表示点を備えていることを特徴とするクリップ付きチューナ。
【請求項３】
請求項１又は２記載のクリップ付きチューナにおいて、
前記誤差のメータ表示は高低が反転するように切り替えられることを特徴とするクリップ付きチューナ。
【請求項４】
請求項３記載のクリップ付きチューナにおいて、
前記音名表示は反転するように切り替えられることを特徴とするクリップ付きチューナ。
【請求項５】
請求項３記載のクリップ付きチューナにおいて、
前記音名表示は向きが９０°ずつ回転するように切り替えられることを特徴とするクリップ付きチューナ。